(57)【要約】【課題】  部品点数を減少させてコストを低減させることができ、しかも、楽に安全に便器の角度を変えることができて、回転させない時は安全に使用することのできる回転式便器を提供する。【解決手段】  キャスターを備えたベース３上に便器本体２を載置してなる回転式便器１において、ベース３に設けたキャスターの全部または一部を、上下動可能なボールキャスター７，７で構成し、このボールキャスター７が接地した時に、ベース３が床面４から離れ、回転式便器１が回転できるように構成する。  なお、回転させない時は、ボールキャスター７を上方へ上げて、ベース３を床面４に接地させて、回転式便器１を安定化させることができる。【選択図】  図１
2006002373.tif 000002
【特許請求の範囲】
【請求項１】
複数のキャスターを備えたベース上に便器本体を載置してなる回転式便器において、前記キャスターの全部または一部を上下動可能なボールキャスターで構成し、該ボールキャスターを下方側へ固定した時のみ該キャスターが接地して前記ベースが床面から離れるように構成したことを特徴とする回転式便器。
【請求項２】
ベースの前部に設けられるキャスターを、前後左右方向に転動することなく、所定の円軌跡上のみを転動し得る車輪で構成したことを特徴とする請求項１に記載の回転式便器。
【発明の詳細な説明】
【技術分野】
【０００１】
本発明は、回転式便器に関するものである。
【背景技術】
【０００２】
従来、高齢者や身体の不自由な人が、車椅子に乗った状態でトイレに入り、トイレ内で便器に移乗する時に、便器が回転できると、楽に便器へ移乗することができ、またトイレ内で車椅子を回転させるためのスペースも少なくて済むため、例えば特許文献１に開示されているようなキャスター式の回転式便器が存在する。
【特許文献１】特開２００４−１１６１６５号公報
【発明の開示】
【発明が解決しようとする課題】
【０００３】
上記特許文献１に開示されている回転式便器は、便器の安定性を向上させるために、ブレーキ機構を設けており、普段の便器使用時には、別に設けたブレーキをかけておく必要があり、部品点数が増大してコスト高となるという問題点があった。
【課題を解決するための手段】
【０００４】
本発明は上記従来の問題点に鑑み案出したものであって、その請求項１は、複数のキャスターを備えたベース上に便器本体を載置してなる回転式便器において、前記キャスターの全部または一部を上下動可能なボールキャスターで構成し、該ボールキャスターを下方側へ固定した時のみ該キャスターが接地して前記ベースが床面から離れるように構成したことである。
【０００５】
また請求項２は、ベースの前部に設けられるキャスターを、前後左右方向に転動することなく、所定の円軌跡上のみを転動し得る車輪で構成したことである。
【発明の効果】
【０００６】
本発明は、回転式便器のキャスターの全部または一部を上下動可能なボールキャスターで構成し、ボールキャスターを下方側へ固定した時のみ、キャスターが接地して、ベースが床面から離れるように構成したことにより、回転時のみボールキャスターを下方に固定することにより、楽に安全に便器の角度を変えることができ、回転させない時は、ベースが接地しているため安定しており、安全に便器を使用することができるものとなる。
また、従来のようなブレーキ機構を設ける必要がないため、部品点数が減少してコストを低減させることができるものとなる。
また、ボールキャスターは移動方向が制限されないため、経時変化で便器を支える回転の中心軸が変化しても、引っ掛かり等が生じることなく、良好に便器を回転させることができるものとなる。
【０００７】
また、ベースの前部に設けられるキャスターを、前後左右方向に転動することなく、所定の円軌跡上のみを転動し得る車輪で構成したことにより、ベースの前部に設けられている車輪は、特に前後方向には転動することがないため、ベースが前後方向に動くことはなく、便器の前後方向への動きを良好に制限して、回転のみを良好に行わせることができるものとなる。
【実施例】
【０００８】
以下、本発明の実施例を図面に基づいて説明する。
図１は、回転式便器の縦断面概略構成図であり、図２は、図１の平面構成図を示す（便器本体は半断面に省略化されている。）。
また、図３はベースの平面構成図であり、図４はベースの側面構成図である。
【０００９】
図において、回転式便器１は、便器本体２がベース３上に載置されており、このベース３は、平面略三角形状に形成されて、後部中央部には大径の貫通穴３ａが貫通状に形成され、その左右側には小径の貫通孔３ｂ，３ｂがそれぞれ貫通形成されており、また前部には、長方形状の貫通孔３ｃが形成されている。
このベース３上には、前部の貫通孔３ｃ上に車輪キャスター６が固設されており、また後部左右側には、レバー９を備えて上下動可能なボールキャスター７が固設されている。
【００１０】
なお、大径の貫通穴３ａ内には、床面４から立ち上がる埋設排水管５との間に、床面４にネジ等で固定されるリング５０が多少の隙間を形成して下方から挿入されるものであり、このリング５０を中心としてベース３は水平面内で回転できるように構成され、埋設排水管５には力が加わらないように構成されている。
なお、埋設排水管５と便器本体２の排水口２ａが連通接続されて、便器本体２はベース３上に載置されている。
前記車輪キャスター６は、ベース３上にビス等で固定されるハウジング６ａ内に回転可能に車輪６ｂが設けられており、この車輪６ｂが貫通孔３ｃから下方へ突出して床面４に接地されており、この車輪６ｂは、前後左右方向には転動することなく、貫通穴３ａを中心とする円軌跡上のみを転動し得るように、転動方向が規制されたものとなっている。
【００１１】
一方、後部の左右に設置されるボールキャスター７は、図５に拡大側面図で、また図６に拡大平面図で示すような構造となっている。
即ち、ボールキャスター７は、ボールケース７ｂ内にボール７ａが転動可能に内装されており、ボールケース７ｂがベース３に貫通形成された貫通孔３ｂ内に上下動されて、ボール７ａが貫通孔３ｂから下方側へ突出して床面４に接地された状態で、ベース３の後部が例えば５mm程度の隙間を形成して床面４から浮き上がり、この状態で良好にベース３を回転させることができるように構成されており、ボールキャスター７が上方側へ移動した状態では、ベース３は床面４に接地した状態となって、ベース３は床面４に固定され、この状態ではぐらつくことがなく安定しているため、便器本体２を使用して安全に用を足すことができるものとなる。
【００１２】
ボールキャスター７は、レバー９の操作で上下動できるように構成されている。
即ちベース３上には、固定台部８の固定片８ａがビス等で固設され、この固定台部８の上部に固定軸１４ａを介してレバー９が上下方向に回動可能に連結されている。
また、この固定台部８には、固定軸１４ｂを介して上下動可能にアーム部１０が連結されており、このアーム部１０の後端側に、ボールケース７ｂの軸１１が、受け板１２，１２を介在させて上下方向からナット１３，１３を締め付けて固定されている。
【００１３】
また、アーム１０の前端側に設けられた移動軸１５ｂがレバー９の後端側に連結されており、また、レバー９に設けた移動軸１５ａが固定軸１４ａから延びる部分に連結されており、レバー９を想像線の位置から下方側へ指で押圧することにより、起立状態にあったアーム部１０が、実線で示すように下方側に移動して略水平状態となり、この時に軸１１が垂下状態となって、その下端に設けられているボールキャスター７がベース３の下方に突出状態となる。この時に固定軸１４ａと移動軸１５ａ，１５ｂが一直線状態に配置されることにより、ロック状態となり、ボールキャスター７のボール７ａが床面４に強く押し付けられた状態が保持されるものとなる。
この状態で、ベース３は床面４から浮き上がるため、良好に回転式便器１を回転させることができる。
また、レバー９を上方へ撥ね上げることで、ボールキャスター７は、ベース３の上方に起立されて待機状態となる。
【００１４】
このように、回転式便器１を回転移動させたい時のみ、レバー９を下方側へ押圧して、ボールキャスター７を接地させてベース３を床面４から浮き上がらせることができ、楽に安全に回転式便器１の角度を変えることができるものとなり、回転させない時はボールキャスター７を上方へ撥ね上げて、ベース３を床面４に接地させておき、ぐらつくことなく安定した状態に回転式便器１を固定状態としておくことができるものである。
【００１５】
なお、回転式便器１はリング５０を中心として、水平面内で回転されるものであるが、このリング５０の外周と貫通穴３ａの内周間には多少の隙間があり、経時変化等で回転の中心が変化した場合にも、本例ではボールキャスター７，７を用いているため、移動方向に制限を受けることなく、引っ掛かり等が生ずることなく、良好にボール７ａが回転方向に回転され、楽にベース３を回転させることができるものとなる。
【００１６】
また、本例では、ベースの前部には車輪キャスター６が設けられているため、回転時に車輪６ｂは前後左右方向には転動することがないため、ベース３が前後方向に移動することが防がれて、安定した状態で水平面内でベース３を回転させることができるものとなる。
なお、この車輪キャスター６に代えて、ベース３の前部にも上下動可能にボールキャスター７を設置して構成しても良い。この場合は、便器本体２の前部に凹部等を形成させて、この凹部内にボールキャスター７を配置させるように構成すると良い。
【００１７】
なお、本例では、図５及び図６に示すような構造で上下動するボールキャスター７を例示しているが、このような構造に限定するものではなく、良好に上下動でき、且つベース３の下側で良好にロックされて固定状態を保持し得るものであれば、手動のものであっても、また電動式のものであっても良い。
【図面の簡単な説明】
【００１８】
【図１】回転式便器の縦断面概略構成図である。
【図２】回転式便器の便器本体を半断面で示す平面構成図である。
【図３】ベースの平面構成図である。
【図４】ベースの側面構成図である。
【図５】上下動可能な手動式のボールキャスターの拡大側面構成図である。
【図６】図５の平面拡大構成図である。
【符号の説明】
【００１９】
１  回転式便器
２  便器本体
３  ベース
３ａ  埋設排水管用貫通穴
３ｂ，３ｃ  貫通孔
４  床面
５  埋設排水管
６  車輪キャスター
６ａ  ハウジング
６ｂ  車輪
７  ボールキャスター
７ａ  ボール
７ｂ  ボールケース
８  固定台部
９  レバー
１０  アーム部
１１  軸
１４ａ，１４ｂ  固定軸
１５ａ，１５ｂ  移動軸
【図１】
2006002373.tif 000003
【図２】
2006002373.tif 000004
【図３】
2006002373.tif 000005
【図４】
2006002373.tif 000006
【図５】
2006002373.tif 000007
【図６】
2006002373.tif 000008